(57)【特許請求の範囲】
【請求項１】
段ボールを素材とし、前後側板及び左右側板の上縁から延出させた短い天面ショートフラップを重ね合わせることにより、中央に開口部を有するように天面が封緘される包装箱であって、
前記何れか一対の天面ショートフラップの自由端部に、幅の狭い平行な折目を介して折返しフラップを連設し、その折返しフラップの先端に差込突起を設け、
一方、前記天面ショートフラップの連接折目付近の側板に、前記連接折目と平行な位置にスリット（直線状切込）又はハーフカット線の破断線を２本設け、
前記２本の破断線の両線端が交わらないことで、前記２本の破断線の間には切り残し片を形成し、
前記２本の破断線の間に前記差込突起が差し込まれた際、前記切り残し片が前記側板の外側に膨らんで変形し、前記２本の破断線の間に前記差込突起を掛け止め得る凹部を形成する
ことを特徴とする包装箱。
【請求項２】
段ボールを素材とし、前後側板及び左右側板の上縁から延出させた短い天面ショートフラップを重ね合わせることにより、中央に開口部を有するように天面が封緘される包装箱であって、
前記何れか一対の天面ショートフラップの自由端部に、幅の狭い平行な折目を介して折返しフラップを連設し、その折返しフラップの先端に差込突起を設け、
一方、前記天面ショートフラップの連接折目付近の側板に、前記連接折目と平行な位置に側板の内側を局部的に押し潰すことで前記差込突起が係合する凹部を設けることを特徴とする包装箱。
【請求項３】
前記破断線又は凹陥部は、前記天面ショートフラップの連接折目に沿う側板に、前記差込突起の長さ、厚み幅に対応して設けることを特徴とする請求項１または２に記載の包装箱。
【請求項４】
前後側板及び左右側板の下縁から延出させた長短の各一対の底板をテープ止めまたはホットメルト接着剤で固定することで箱底面を閉止するノンステープル封緘箱である請求項１〜３の何れか１項に記載の包装箱。
【請求項５】
長方形状を呈する底板をブランク中央に形成し、該底板の両長辺に折目を介して左右側板を連設し、前記底板の両短辺に折目を介して左右側板を連設してなる請求項１〜３の何れか１項に記載の包装箱。
【発明の詳細な説明】
【技術分野】
【０００１】
この発明は、野菜や花き等の農産物類の運搬等に使用するノンステープル封緘ケースに関するものである。
【背景技術】
【０００２】
青果物を運搬する外装箱として、従来より、図６に示すようなものが使用されている。この外装箱は、段ボールを素材とし、各一対の長側板５１及び短側板５２により箱４面の側壁が形成されている。そして長側板５１及び短側板の下縁から延出させた長短の各一対の底板を止め金具やテープを用いて固定することで箱の底面を閉止し、また長側板５１及び短側板の上縁から延出させた短い天面ショートフラップ５３と５４（単に、ショートフラップということがある）を重ね合わせることで、その内側には青果物の挿入や確認が可能となる開口部を有した環状をなす天面封緘部が形成されていた。
【０００３】
前記のショートフラップ５３と５４はその短かさや素材の厚さの影響により特に基端折目の反発が強いため、差込式ではなく、ボクサーでステープル５５を打ち込んで固定されていた。
しかしながら、上記のようにステープルを用いると、組み立てに際し、重いボクサーの取り扱いが負担になり、また解体に際し、ステープルがはね飛んで作業者が怪我をする危険性もある。
【０００４】
そこで、上記のような止め金具やテープ等の固着手段が不要で、組み立てが容易な段ボール箱が、例えば、特許文献１〜２に示すように提案されている。特許文献１は底面と天面の封緘に差込孔と差込み片を利用する青果物の収納箱である。また、特許文献２に示すものは、各一対の端板及び側板を連設して角環状の周壁をなし、各端板及び側板の下縁から延出した長いフラップを重ね合わせて底面を閉止し、端板及び側板の上縁から延出した短いフラップの端部を重ね合わせて、天面の中間部が開口した状態で封緘する農産物の運搬に好適なショートフラップ箱である。
【特許文献１】特開２００１−２７８２４４号公報
【特許文献２】特開２００５−１２６１０９号公報
【発明の開示】
【発明が解決しようとする課題】
【０００５】
青果物の流通時においては、青果物の確認・点検作業等で箱の天面フラップを掴む荷役作業を生ずることがある。その場合に、前記特許文献２のような、ステープルを使用せず、端板及び側板の上縁から延出した短いフラップの端部を重ね合わせものでは、天面フラップを掴んだときに、封緘状態の維持が難しくはずれやすい。
一方、特許文献１のように、差込孔と差込み片を利用する箱では、ブランクに孔を明け、打ち抜きかすを取除く必要があり、かつ差込孔と差込み片の形成と組立て時の挿入係合が面倒であるなどの欠点を生ずる。
本発明は、従来の課題を解決して、花き類を含む生鮮農産物の運搬等に使用するノンステープルの天面封緘ケースを提供するものである。
【課題を解決するための手段】
【０００６】
上記課題を解決するため、第１の発明は、段ボールを素材とし、前後側板及び左右側板の上縁から延出させた短い天面ショートフラップを重ね合わせることにより、中央に開口部を有するように天面が封緘される包装箱であって、
前記何れか一対の天面ショートフラップの自由端部に、幅の狭い平行な折目を介して折返しフラップを連設し、その折返しフラップの先端に差込突起を設け、
一方、前記天面ショートフラップの連接折目付近の側板に、前記差込突起を掛け止め得るスリット（直線状切込）又はハーフカット線等の破断線を前記連接折目と平行な位置に設けることを特徴とする包装箱である。
【０００７】
第２の発明は、段ボールを素材とし、前後側板及び左右側板の上縁から延出させた短い天面ショートフラップを重ね合わせることにより、中央に開口部を有するように天面が封緘される包装箱であって、
前記何れか一対の天面ショートフラップの自由端部に、幅の狭い平行な折目を介して折返しフラップを連設し、その折返しフラップの先端に差込突起を設け、
一方、前記天面ショートフラップの連接折目付近の側板に、前記連接折目と平行な位置に側板の内側を局部的に押し潰すことで前記差込突起が係合する凹陥部を設けることを特徴とする包装箱である。
【０００８】
第３の発明は、前記破断線又は凹陥部は、前記天面ショートフラップの連接折目に沿う側板に、前記差込突起の長さ、厚み幅に対応して設けることを特徴とする請求項１また２の何れかに記載の包装箱である。
【０００９】
第４の発明は、前後側板及び左右側板の下縁から延出させた長短の各一対の底板をテープ止めまたはホットメルト接着剤を用いて固定することで箱の底面を閉止するノンステープル封緘箱である第１または第２の発明の包装箱である。
【００１０】
第５の発明は、長方形状を呈する底板をブランク中央に形成し、該底板の両長辺に折目を介して左右側板を連設し、前記底板の両短辺に折目を介して左右側板を連設してなる第１または第２の発明の包装箱である。
【発明の効果】
【００１１】
このような包装箱においては、天面ショートフラップの自由端部に連接した折返しフラップを内側へ折曲げるだけで、その折返しフラップの先端に設けた差込突起が前記天面ショートフラップの連接折目付近の側板に設けたスリットに引っ掛かり、または前記連接折目付近の凹部に引っ掛かり、ロックされるのでステープル等の封緘材を使用しなくても、封緘状態を維持することができる。
【００１２】
この発明の包装箱では、ブランクに差込孔を開けないので外観が綺麗であるとともに、切抜きカスをとる必要がなくステープル等の封緘材を使用しないので、解体作業が容易になり、荷役作業時のトラブルも防止される。
【発明を実施するための最良の形態】
【００１３】
以下、この発明の実施形態を添付図面に基づいて説明する。図面はネギの包装箱として好適に使用できる段ボール箱を示したものである。
【００１４】
図１のブランクに示すように、この段ボール箱は、前後左右の側面を構成する各一対の長側板１、３及び短側板２、４が交互に連設され、一方の長側板の外側縁に継代片５が連設されている。そして長側板１、３の下縁と、短側板２，４の下縁には、それぞれ底面を封止するための底フラップ６、８または７、９がそれぞれ連設されている。
各一対の長側板１、３及び短側板２、４の上縁には、それぞれ天面ショートフラップ１０乃至１３が連設されている。長側板１、３に連接した天面ショートフラップ１０、１２は、天面の中央部に略コの字型の切欠き開口部１４、１５が形成され、一方、短側板２、４に連接した天面ショートフラップ１１と１３の自由端には、幅の狭い平行な折目を介して折返しフラップ１６、１７を連設し、その折返しフラップの先端に差込突起１８、１９を設けている。
【００１５】
折返しフラップ１６、１７は、天面ショートフラップ１１、１３に対して凸形状に突出されている。また折返しフラップ１６、１７の基端罫線は天面ショートフラップ１１、１３の連接折目と平行な折目となっている。折返しフラップ１６、１７は、組立て時に、長側板１、３に連接した天面ショートフラップ１０、１２に設けた開口部１４、１５内に折り込み、図２のａ〜ｂに示したように、フラップ１０、１２と１１、１３とを組合せて、中央に開口部を有するように天面が封緘されるようになっている。
【００１６】
一方、前記側板２と４の上部には、天面ショートフラップ１１、１３の内側に折り曲げた折返しフラップ１６、１７の差込突起１８、１９を掛け止め得る平行スリット（直線状切込）２０ａ，２０ｂ、２１ａ、２１ｂを前記連接折目線の上、またはそれより若干低い位置に穿設して、前記差込突起１８、１９の長さ、厚み幅に対応して設ける。
この平行スリット２０ａ，２０ｂ、２１ａ、２１ｂは、側板２、４を貫通するように形成させることを可とするが、図３ａの（ニ）に例示したように貫通させずに、板の厚みの略半分ほどの深さに切込を入れたハーフカット線で形成してもよい。
【００１７】
なお平行スリットは、２本のスリットのうちの１本（好ましくは下側の１本）は側板２、４を貫通するように穿設し、他の１本はハーフカット線として形成させると、天面ショートフラップの自由端部に連接したに設けた開口部１４、１５内に折曲げるだけで、その折返しフラップの先端に設けた差込突起は、図３（イ〜ニ）に示すように、２本の平行スリット間が外側に膨らんで変形するので、折返しフラップ１６、１７の差込突起１８、１９は、前記平行スリット間に形成される凹部Ｈに引つ掛ることとなり、ロックされるので、ステープル等の封緘材を使用しなくても、天面フラップを掴んだときに差込片の抜け出しが防止され、封緘状態を維持することができる。
【００１８】
また、図４に示したように、前記平行スリット２０ａ，２０ｂ間を加圧して、段ボールの段を局部的に押し潰すことで、差込突起が係合する凹部を形成しても良い。このようにしたときも差込突起１８、１９は段を局部的に押し潰して形成した凹部に引つ掛ることとなり、ステープル等の封緘材を使用しなくても、天面フラップを掴んだときに差込片の抜け出しが防止され、封緘状態を維持することができる。
【００１９】
図１のブランクを組み立てるには、図２に示すように、一対の長側板１、３と短側板２、４を角筒をなすように折り曲げ、継代片５を短側板４に貼り付けて周壁を形成する。次に、長側板１、３に連接した天面ショートフラップ１０、１２を内側に折り、続いて、短側板２、４側の天面ショートフラップ１１、１３の内側に折返しフラップ１６、１７を折り曲げて、中央に開口部を有するように天面が封緘する。そして、箱内にネギを収納し、底面フラップ６，７、８、９を順次内側へ折り曲げ、これらを粘着テープ等で固定して底面を閉止する。
【００２０】
このように折返しフラップの先端に設けた差込突起が前記天面ショートフラップの連接折目付近の側板に設けたスリットに引っ掛かり、または前記連接折目付近の凹部に引っ掛かり、ロックされるのでステープル等の封緘材を使用しなくても、封緘状態を維持することができる。
【００２１】
また、差込突起とスリット、または凹部との係合を解除するだけで、容易に開封して解体することができるほか、廃棄した箱を回収して段ボールを再生する際、混入したステープル等の封緘材によりトラブルが発生することもない。
【００２２】
なお、本発明は上記の実施例に限定されるものではない。図５は、本発明の変形例を示す段ボールブランクであり、この段ボール箱は、長方形状を呈する底板３０をブランク中央に形成し、該底板の両長辺に折目を介して左右側板３１、３２を連設し、前記底板の両短辺に折目を介して左右側板３２、３３を連設してなる。
この変形例においても、天面ショートフラップの自由端部に連接した折返しフラップを内側へ折曲げるだけで、その折返しフラップ３６、３７の先端に設けた差込突起３８、３９が前記天面ショートフラップの連接折目付近の側板に設けたスリット４０、４１に引っ掛かり、または前記連接折目付近の凹部に引っ掛かり、ロックされるのでステープル等の封緘材を使用しなくても、封緘状態を維持することができる。
【図面の簡単な説明】
【００２３】
【図１】ａはこの発明の一実施形態に係る箱のブランクを示す図、ｂは要部の拡大図である。
【図２】ａは同上組立状態を示し、ｂは組立途中を示す斜視図である。
【図３】ａは平行スリットの形成状態を示す説明図、ｂは差込突起とスリットの係合状態を示す説明図である。
【図４】段ボールを示す説明図
【図５】この発明の変形例のブランクを示す図である
【図６】従来のショートフラップ箱の封緘状態を示す斜視図
【符号の説明】
【００２４】
１、３ 長側板
２、４ 短側板
５  継代片
６〜９  底フラップ
１０〜１３、３２〜３５  天面ショートフラップ
１４、１５  開口部
１６、１７、３６、３７  折返しフラップ
１８、１９、３８、３９  差込突起
２０ａ，２０ｂ，２１ａ，２１ｂ  平行スリット
Ｈ  凹部
【図１】
0004839112.tif 000002
【図２】
0004839112.tif 000003
【図３】
0004839112.tif 000004
【図４】
0004839112.tif 000005
【図５】
0004839112.tif 000006
【図６】
0004839112.tif 000007